【事件の表示】
　特願２００６−１４３３８１号「白色有機発光素子及びその製造方法」拒絶査定不服審判事件〔平成１９年　２月　１日出願公開、特開２００７−　２７０９２号〕について、次のとおり審決する。
【結　論】
　本件審判の請求は、成り立たない。
【理　由】
１．手続の経緯及び本願発明
　本願は、平成１８年５月２３日（パリ条約による優先権主張　２００５年７月１５日、韓国）の出願であって、平成２１年７月６日付けで手続補正がなされ、同年７月２７日付けで拒絶査定がなされ、これに対して同年１２月２日に拒絶査定不服審判の請求がなされるとともに、同日付けで手続補正がなされたものである。
　本願の請求項１に係る発明（以下「本願発明」という。）は、平成２１年１２月２日付けの手続補正により補正された特許請求の範囲の請求項１に記載された次のとおりのものである。
　
「二つの電極の間に発光層を含む白色有機発光素子において：
　前記発光層は，青色発光層と青色以外の発光層とを備え，前記青色発光層と前記青色以外の発光層とにより白色を具現し，
　前記青色以外の発光層は，
　正孔輸送物質と電子輸送物質の混合物と；
　前記正孔輸送物質と電子輸送物質の混合物に対して１〜２０質量％の燐光物質と；
を有し，
　前記正孔輸送物質と前記電子輸送物質との質量比は，１：９〜９：１であることを特徴とする，白色有機発光素子。」
　
２．引用例
　これに対して、原査定の拒絶理由に引用された特開２００４−３１１４２０号公報（以下「引用例１」という。）、及び同じく国際公開第９８／８３６０号（以下「引用例２」という。）には、以下の技術事項が記載されている。　
　
（１）引用例１
　
記載事項ア．
「【０００６】
　本発明の目的は、高効率な白色光の取り出しが可能な有機ＥＬ素子を提供することである。
【課題を解決するための手段】
【０００７】
　本発明に係る有機エレクトロルミネッセンス素子は、第１の電極と第２の電極との間に発光層を備えた有機エレクトロルミネッセンス素子であって、発光層は、異なる２種以上の発光材料を含み、異なる２種以上の発光材料のうち少なくとも１種は燐光発光材料であるものである。
【０００８】
　本発明に係る有機エレクトロルミネッセンス素子においては、第１および第２の電極の一方から発光層にホールが供給され、第１および第２の電極の他方から発光層に電子が供給される。それにより、発光層に含まれる異なる２種以上の発光材料が発光する。この場合、それらの光の１種以上は燐光である。したがって、発光層は光強度の高い光を発しする。その結果、高効率な白色光の取り出しが可能である。
【０００９】
　発光層は、短波長発光層と長波長発光層とを含み、短波長発光層が発する光のピーク波長のうち少なくとも１つは４３０ｎｍ〜５２０ｎｍの範囲にあり、長波長発光層が発する光のピーク波長のうち少なくとも１つは５２０ｎｍ〜６３０ｎｍの範囲にあってもよい。
【００１０】
　この場合、短波長発光層は主として青色光を発し、長波長発光層は主としてオレンジ光を発する。したがって、高効率な白色光の取り出しが可能である。
【００１１】
　長波長発光層は、第１のホスト材料と第１の燐光発光材料とを含んでもよい。」
　
記載事項イ．
「【００５１】
　（第１の実施の形態）
　図１は、本発明の一実施の形態に係る有機ＥＬ素子を示す模式的な断面図である。
【００５２】
　図１に示す有機ＥＬ素子１００の作製時には、予めガラス基板１上にＩｎ２Ｏ３−ＳｎＯ２（ＩＴＯ）からなる陽極２を形成し、この陽極２上に、１０−４Ｐａ台の真空度で蒸着法により、ホール注入層３、ホール輸送層４、青色光発光層５、オレンジ光発光層６、電子輸送層７および電子注入層８を順に形成して有機薄膜層１０を形成する。さらに、この有機薄膜層１０上に、マグネシウムとインジウムとの合金（Ｍｇ：Ｉｎ）からなる陰極９を形成する。」
　
記載事項ウ．
「【００６０】
　青色光発光層５のホスト材料は、例えば、下記式（Ｃ１）で表される分子構造を有するｔｅｒｔ−ブチル置換ジナフチルアントラセン（以下、化合物Ａと称する）から構成される。
【００６１】
【化１１】
　
　　　　　　　　　　　　　　　　　　　　　　　　　　　　　　　」
　
記載事項エ．
「【００８３】
　例えば、青色光発光層５のホスト材料にドープされる発光ドーパント（蛍光発光材料）には、下記式（Ｂ８）で表される分子構造を有する１，４，７，１０−テトラ−ターシャリー−ブチルペリレン（１，４，７，１０−Ｔｅｔｒａ−ｔｅｒｔ−ｂｕｔｙｌＰｅｒｙｌｅｎｅ：以下、ＴＢＰと称する）が用いられる。
【００８４】
【化１９】
　
　　　　　　　　　　　　　　　　　　　　　　　　　　　　　　」
　
記載事項オ．
「【００８７】
　オレンジ光発光層６は、発光ドーパントがドープされたホスト材料から構成される。オレンジ光発光層６のホスト材料は、例えば、下記式（Ｃ２）で表される分子構造を有する４，４’−ビス（カルバゾール−９−イル）−ビフェニル（４，４’−Ｂｉｓ（ｃａｒｂａｚｏｌ−９−ｙｌ）−ｂｉｐｈｅｎｙｌ：以下、ＣＢＰと称する）から構成される。
【００８８】
【化２０】
　
　　　　　　　　　　　　　　　　　　　　　　　　　　　　　　　」
　
記載事項カ．
「【００８９】
　オレンジ光発光層６のホスト材料にドープされる発光ドーパントは、下記式（Ａ１）で表される分子構造を有することが好ましい。
……（略）……
【０１０５】
　上記式（Ａ１）の化合物が下記式（Ａ５）で表される分子構造を有するトリス（２−フェニルキノリン）イリジウム（Ｔｒｉｓ（２−ｐｈｅｎｙｌｑｕｉｎｏｌｉｎｅ）ｉｒｉｄｉｕｍ：Ｉｒ（ｐｈｑ）と称する）であってもよい。
【０１０６】
【化２５】
　
　　　　　　　　　　　　　　　　　　　　　　　　　　　　」
　
記載事項キ．
「【０１３２】
　（実施例１）
　実施例１では、構造Ａの有機ＥＬ素子を作製した。まず、ガラス基板１上に、陽極２を８０ｎｍスパッタにより形成した。陽極２を形成したガラス基板１を中性洗剤および純水で洗浄した後、１００℃で１０時間以上ベークした。その後、ＵＶ／０３洗浄を行い、１×１０−４Ｐａ以下まで減圧した真空蒸着装置の槽内にセットした。
【０１３３】
　ホール注入層３としてＣｕＰｃを形成した後、ホール輸送層４としてＮＰＢを真空蒸着により形成した。次に、化合物Ａをホスト材料とし、ＴＢＰを発光ドーパントとして青色光発光層５を形成した。ＴＢＰは、青色光発光層５に対して体積率が２％になるようにドープした。
【０１３４】
　次に、ＣＢＰをホスト材料とし、Ｉｒ（ｐｈｑ）を発光ドーパントとしてオレンジ光発光層６を形成した。Ｉｒ（ｐｈｑ）は、オレンジ光発光層６に対して体積率が６．５％になるようにドープした。
【０１３５】
　次いで、電子輸送層７として下記式（Ｃ３）で表される分子構造を有するトリス（８−ヒドロキシキノリナト）アルミニウム（Ｔｒｉｓ（８−ｈｙｄｒｏｘｙｑｕｉｎｏｌｉｎａｔｏ）ａｌｕｍｉｎｕｍ：以下、Ａｌｑと称する）を形成した。電子注入層８としてＬｉＦを形成し、陰極９としてＡｌを形成した。有機ＥＬ素子を、乾燥剤を塗布したガラス板を用いて接着剤で露点−８０℃の雰囲気下で封止した。その結果を表１に示す。
【０１３６】
【化２７】
　
　　　　　　　　　　　　　　　　　　　　　　　　　　　　」
　
　記載事項ア．〜キ．の記載内容からして、引用例１には、
「陽極上に、ホール注入層、ホール輸送層、青色光発光層、オレンジ光発光層、電子輸送層および電子注入層を順に形成して有機薄膜層を形成し、さらに、この有機薄膜層上に陰極を形成した白色光の取り出しが可能な有機ＥＬ素子であって、オレンジ光発光層は、４，４’−ビス（カルバゾール−９−イル）−ビフェニル（ＣＢＰ）をホスト材料とし、トリス（２−フェニルキノリン）イリジウム（Ｉｒ（ｐｈｑ））を発光ドーパントとし、前記Ｉｒ（ｐｈｑ）はオレンジ光発光層に対して体積率が６．５％になるようにドープして形成した発光層である前記有機ＥＬ素子。」
の発明（以下「引用発明」という。）が記載されているといえる。
　
（２）引用例２
　
記載事項ク．明細書第９頁第１０行〜第２１行
「本発明の有機ＥＬ素子は式（Ｉ）で示されるクマリン誘導体を発光層に用い、かつ式（ＩＩ）で示されるテトラアリールジアミン誘導体を正孔注入性および／または輸送性の層に用いているため、また正孔注入輸送性化合物と電子注入輸送性化合物との混合層に式（Ｉ）のクマリン誘導体、式（ＩＩ）のキナクリドン化合物、式（ＩＩＩ）のスチリル系アミン化合物をドープして発光層としているため、１０００００ｃｄ／ｍ２程度、あるいはそれ以上の高輝度が安定して得られる。また、式（Ｉ）のクマリン誘導体に対し、耐久性が高いホスト材料を選ぶことで、素子電流密度３０ｍＡ／ｃｍ２程度でも長時間の安定した駆動が可能である。
　上記化合物の蒸着膜はいずれも安定なアモルファス状態なので、薄膜性が良好となりムラがなく均一な発光が可能である。また、大気下で一年以上安定であり結晶化を起こさない。
　また、本発明の有機ＥＬ素子は、低駆動電圧・低駆動電流で効率よく発光する。」
　
記載事項ケ．明細書第１０頁第３行〜第１１頁第４行
「さらに、本発明では、各発光層のキャリア輸送能を変化させ２種以上の発光を可能にするため、発光層を２層以上とし、これらの発光層のうち少なくとも１層をバイポーラ型、好ましくは混合層タイプのものとし、バイポーラ型発光層同士、好ましくは混合層同士、あるいはバイポーラ型発光層、好ましくは混合層と、このバイポーラ型発光層、好ましくは混合層より陽極側に設けられた正孔輸送性の発光層および／または陰極側に設けられた電子輸送性の発光層との組合せとし、さらに好ましくは発光層に各々ドーパントをドープしている。
　このなかで、特に好ましい態様である混合層を設けドーピングする場合について考えると、混合層を設けてドーピングすることによって、再結合領域が混合層全域および混合層と正孔輸送性の発光層の界面近傍ないし混合層と電子輸送性の発光層の界面近傍に広がり、励起子が生成され、各発光層のそれぞれのホストから、最も近い発光種にエネルギー移動し、２種以上の発光種（ドーパント）の発光が可能になる。また、混合層とする場合、正孔（ホール）および電子の注入に対して安定な化合物を選択することで、混合層自体の電子耐性・ホール耐性を飛躍的に向上させることができる。これに対し、バイポーラ型発光層である混合層なしで、正孔輸送性の発光層と電子輸送性の発光層とを組み合わせても２種以上の発光種の発光は可能になるが、発光層等のコントロールが難しく、２種の強度比率等がすぐに変化したり、ホールおよび電子の両方に対する耐性が低いので、寿命が短く実用に耐えない。また、発光層のホスト材料の組合せ、バイポーラ型発光層である混合層におけるホスト材料の組合せや量比、あるいは膜厚比などを調整することによって電子および正孔のキャリア供給能を調整することが可能になる。このため、発光スペクトルの調整が可能になる。したがって多色発光型の有機ＥＬ素子への対応が可能になる。さらにはルブレン等のナフタセン骨格を有する化合物をドープした発光層（特に混合層）を設けることによってルブレン等のドープ層のキャリアトラップ層としての機能などにより、隣接層（例えば電子輸送層や正孔輸送層）へのキャリア注入が減り、これらの層の劣化が抑制されるため、高輝度（１０００ｃｄ／ｍ２程度）で長寿命（輝度の半減期５００００時間程度）となる。また、発光スペクトルの発光極大波長が長波長域にある発光層を陽極側に設けることによって、光学的干渉効果が利用でき、各々の発光の光取り出し効率が向上し、高輝度化が可能になる。」
　
記載事項コ．明細書第３０頁第１４行〜第３１頁第１５行
「混合層では、両キャリアのホッピング伝導パスができるため、各キャリアは極性的に優勢な物質中を移動し、逆の極性のキャリア注入は起こりにくくなるので、混合する各化合物をキャリアに対して安定な化合物とすることで、有機化合物がダメージを受けにくくなり、素子寿命がのびるという利点があるが、式（Ｉ）のクマリン誘導体をこのような混合層に含有させることにより、キャリアに対して安定なまま混合層自体のもつ発光波長を変化させることができ、発光波長を主に長波長に移行させることができるとともに、発光強度を高め、かつ素子の安定性が向上する。
　混合層に用いられる正孔注入輸送性化合物および電子注入輸送性化合物は、各々、後記の正孔注入輸送層等用の化合物および電子注入輸送層等用の化合物の中から選択すればよい。なかでも、正孔注入輸送性化合物としては芳香族三級アミンを用いることが好ましく、具体的には式（ＩＩ）のテトラアリールジアミン誘導体、Ｎ，Ｎ’−ビス（−３−メチルフェニル）−Ｎ，Ｎ’−ジフェニル−４，４’−ジアミノビフェニル、Ｎ，Ｎ’−ビス（−３−ビフェニル）−Ｎ，Ｎ’−ジフェニル−４，４’−ジアミノビフェニル、Ｎ，Ｎ’−ビス（−４−ｔ−ブチルフェニル）−Ｎ，Ｎ’−ジフェニル−１，１’−ビフェニル−４，４’−ジアミン、Ｎ，Ｎ，Ｎ’，Ｎ’−テトラキス（−３−ビフェニル）−１，１’−ビフェニル−４，４’−ジアミン、Ｎ，Ｎ’−ジフェニル−Ｎ，Ｎ’−ビス−（−４’−（Ｎ−３（メチルフェニル）−Ｎ−フェニル）アミノビフェニル−４−イル）ベンジジンなど、特開昭６３−２９５６９５号、特開平５−２３４６８１号、ＥＰ０６５０９５５Ａ１（対応特願平７−４３５６４号）等に記載の化合物が挙げられ、なかでも式（ＩＩ）のテトラアリールジアミン誘導体が好ましい。また、電子注入輸送性化合物としては、キノリン誘導体、さらには８−キノリノールないしその誘導体を配位子とする金属錯体、特にトリス（８−キノリノラト）アルミニウムを用いることが好ましい。
　この場合の混合比は、キャリア密度、キャリア移動度により混合比を決めることが好ましい。正孔注入輸送性化合物／電子注入輸送性化合物の重量比が、１／９９〜９９／１、さらには２０／８０〜８０／２０、特には３０／７０〜７０／３０程度となるようにすることが好ましい。ただし、素子における材料の組合せによってはこの制限は受けない。」
　
記載事項サ．明細書第４７頁第８行〜第２１行
「したがって、本発明におけるバイポーラ型発光層としては、混合層タイプのものが好ましく、２層以上の発光層はすべて混合層であることが好ましい。また、２層以上の発光層のうち少なくとも１層にはドーパントがドープされていることが好ましく、さらに好ましくはすべての発光層にドーパントがドープされていることである。
　本発明の好ましい素子構成について説明すると、ドーパントをドープした混合層タイプの発光層のほかに、さらにドーパントをドープした発光層を設け、ドーピングした発光層を２層以上とするものである。ドーピングした発光層の組合せとしては、混合層同士、混合層とこれより陽極側に設けられた正孔輸送性の発光層および／または陰極側に設けられた電子輸送性の発光層であり、長寿命化を図る上では、特に混合層同士の組合せが好ましい。
　この場合の混合層は、前記と同様に、正孔注入輸送性化合物と電子注入輸送性化合物とを含有する層であり、これらの混合物をホスト材料として用いたものである。」
　
３．対比
　本願発明と引用発明とを対比する。
　
（ａ）引用発明の「陽極上に、ホール注入層、ホール輸送層、青色光発光層、オレンジ光発光層、電子輸送層および電子注入層を順に形成して有機薄膜層を形成し、さらに、この有機薄膜層上に陰極を形成した」ことは、本願発明の「二つの電極の間に発光層を含む」ことに相当する。
　また、引用発明の「白色光の取り出しが可能な有機ＥＬ素子」は、本願発明の「白色有機発光素子」に相当する。
　
（ｂ）引用発明の「青色光発光層」、「オレンジ光発光層」は、それぞれ本願発明の「青色発光層」、「青色以外の発光層」に相当する。
　そして、引用発明は、青色光発光層の青色光とオレンジ光発光層のオレンジ光により白色光の取り出しを可能としていることは明らかであるから、引用発明の「青色光発光層」と「オレンジ光発光層」とを備え、「白色光の取り出しを可能」であることは、本願発明の「前記発光層は，青色発光層と青色以外の発光層とを備え，前記青色発光層と前記青色以外の発光層とにより白色を具現」することに相当する。
　
（ｃ）引用発明の「オレンジ光発光層」のホスト材料である「４，４’−ビス（カルバゾール−９−イル）−ビフェニル（ＣＢＰ）」と、本願発明の「青色以外の発光層」が有する「正孔輸送物質と電子輸送物質の混合物」は、「青色以外の発光層」が有する「ホスト材料」である点で共通する。
　また、引用発明の「オレンジ光発光層」に「ドープされる」「発光ドーパント」である「トリス（２−フェニルキノリン）イリジウム（Ｉｒ（ｐｈｑ））」は、燐光を発する作用を有するものであることは明らかであるから、本願発明の「青色以外の発光層」が有する「燐光物質」に相当する。
　
　（ａ）〜（ｃ）に記載したことからして、本願発明と引用発明の両者は、　
「二つの電極の間に発光層を含む白色有機発光素子において、
　前記発光層は、青色発光層と青色以外の発光層とを備え、前記青色発光層と前記青色以外の発光層とにより白色を具現し、
　前記青色以外の発光層は、
　ホスト材料と燐光物質とを有する白色有機発光素子。」
である点で一致し、次の相違点が存在する。
　
　相違点（Ａ）
　青色以外の発光層のホスト材料が、本願発明は、正孔輸送物質と電子輸送物質の混合物であり、正孔輸送物質と電子輸送物質との質量比が１：９〜９：１であるのに対して、引用発明は、４，４’−ビス（カルバゾール−９−イル）−ビフェニル（ＣＢＰ）であって、正孔輸送物質と電子輸送物質の混合物ではない点。
　
　相違点（Ｂ）
　本願発明は、青色以外の発光層における燐光物質の含有量が、正孔輸送物質と電子輸送物質の混合物に対して１〜２０質量％であるのに対して、引用発明は、青色以外の発光層（オレンジ光発光層）における燐光物質（トリス（２−フェニルキノリン）イリジウム（Ｉｒ（ｐｈｑ）））の含有量が青色以外の発光層（オレンジ光発光層）に対して体積率が６．５％である点。
　
４．当審の判断
　上記相違点について検討する。
　相違点（Ａ）について
　有機発光素子の分野において、高輝度が安定して得られ、かつ低駆動電圧・低駆動電流で効率よく発光が得られ、かつ素子寿命を長くするために、発光層のホスト材料として正孔輸送物質と電子輸送物質の混合物を使用すること、さらに、正孔輸送物質と電子輸送物質との質量比を２：８〜８：２程度とすることは、例えば、引用例２（記載事項ク．〜サ．参照）にも記載されているように周知であり、高輝度が安定して得られ、かつ低駆動電圧・低駆動電流で効率よく発光が得られ、かつ素子寿命を長くするために、引用発明の青色以外の発光層のホスト材料として、上記周知の正孔輸送物質と電子輸送物質との質量比が２：８〜８：２程度の正孔輸送物質と電子輸送物質の混合物を採用し、上記相違点（Ａ）に係る本願発明の発明特定事項を得ることは当業者であれば容易になし得ることである。
　
　相違点（Ｂ）について
　引用発明の青色以外の発光層（オレンジ光発光層）の燐光物質（トリス（２−フェニルキノリン）イリジウム（Ｉｒ（ｐｈｑ）））の含有量は、青色以外の発光層（オレンジ光発光層）に対して体積率６．５％であるから、ＣＢＰホスト材料に対して、質量％に換算すると１〜２０質量％の範囲内に包含される蓋然性が高い。仮に引用発明の燐光物質（トリス（２−フェニルキノリン）イリジウム（Ｉｒ（ｐｈｑ）））がＣＢＰホスト材料に対して１〜２０質量％の範囲内の割合で含有されていないとしても、燐光物質を用いた有機発光素子の分野において、燐光物質を発光層のホスト材料に対して１〜２０質量％の範囲内の割合で含有させることは、例えば、国際公開第２００５／５６７１５号（明細書第２１頁第９行〜第１６行参照）、特開２００５−１０８６６５号公報（段落【００１６】等参照）にも記載されているように周知である。
　したがって、相違点（Ｂ）は実質的な相違点でないか、仮に実質的な相違点であったとしても、引用発明に上記周知の含有割合を適用して、上記相違点（Ｂ）に係る本願発明の発明特定事項を得ることは当業者であれば容易になし得ることである。
　
　また、本願発明の効果についても、引用発明及び周知技術から予測し得る範囲内のものであって、格別のものとは認められない。
　
５．むすび
　以上のとおり、本願の請求項１に係る発明は、引用発明及び周知技術に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。